(57)【要約】【課題】  バックライトユニットから出射される完全偏光もしくは部分偏光の偏光軸角度と、液晶表示パネルの裏側の偏光板の透過軸角度を一致可能にし、また、完全偏光もしくは部分偏光を所望の偏光軸角度や偏光状態へと変換可能にして、光源の利用効率を向上した液晶表示装置を提供する。【解決手段】  液晶表示パネル１とバックライトユニット２を有し、バックライトユニット２が液晶表示パネル１の裏側に偏光板１５を挟んで配置され、バックライトユニット２から出射される完全偏光あるいは部分偏光の偏光軸角度と、液晶表示パネル１の裏側の偏光板１５の透過軸角度が一致するように液晶表示パネル１とバックライトユニット２を配置する。また、液晶表示パネル１とバックライトユニット２の間に位相差フィルム３を配置する。【選択図】      図１
2005242177.tif 000002
【特許請求の範囲】
【請求項１】
画像を表面側に表示し裏面側に偏光板が配置された液晶表示パネルと、完全偏光或いは部分偏光であるような照明光を前記液晶表示パネルに照射するためのバックライトユニットと、を有する液晶表示装置において、
前記照明光の完全偏光における偏光軸角度もしくは部分偏光の偏光成分の偏光軸角度と、前記偏光板の透過軸角度との差を１０°以内とすることを特徴とする液晶表示装置。
【請求項２】
画像を表面側に表示し裏面側に偏光板が配置された液晶表示パネルと、完全偏光或いは部分偏光であるような照明光を前記液晶表示パネルに照射するためのバックライトユニットと、を有する液晶表示装置において、
前記液晶表示パネルと前記バックライトユニットの間に位相差フィルムを配置し、
この位相差フィルムは、前記照明光の完全偏光もしくは部分偏光の偏光成分の偏光軸角度と、前記偏光板の透過軸角度との差を１０°以内とすることを特徴とする液晶表示装置。
【請求項３】
前記位相差フィルムは、
１枚のみで配置され、前記照射光の完全偏光の偏光軸角度もしくは部分偏光の偏光成分の偏光軸角度を基準とし、前記位相差フィルムの遅相軸角度をθｒ、前記偏光板の透過軸角度をθｐとし、前記偏光軸角度と、前記遅相軸角度と、および前記透過軸角度は前記液晶表示パネルの画像表示面に対しての左回転方向を正方向とされ、
０゜＜θｐ≦９０゜のときは０゜＜θｒ＜θｐ、または９０゜＜θｒ＜θｐ＋９０゜であり、
９０゜＜θｐ＜１８０゜のときはθｐ−９０゜＜θｒ＜９０゜、またはθｐ＜θｒ＜１８０゜（０゜＜θｐ＜１８０゜）
であることを特徴とする請求項２に記載の液晶表示装置。
【請求項４】
前記位相差フィルムは、
位相差値が波長５５０ｎｍで２００ｎｍ〜４００ｎｍであり、
前記照射光の完全偏光の偏光軸角度もしくは部分偏光の偏光成分の偏光軸角度を基準とし、前記位相差フィルムの遅相軸角度をθｒ、前記偏光板の透過軸角度をθｐとし、前記偏光軸角度と、前記遅相軸角度と、および前記透過軸角度は前記液晶表示パネルの画像表示面に対しての左回転方向を正方向とされ、
０゜＜θｐ≦９０゜のときはθｒ＝θｐ／２−１５゜〜θｐ／２＋１５゜、またはθｐ／２＋７５゜〜θｐ／２＋１０５゜であり、
９０゜＜θｐ＜１８０゜のときはθｒ＝θｐ／２−１５゜〜θｐ／２＋１５゜、またはθｐ／２−７５゜〜θｐ／２−１０５゜
であり、
前記照明光の完全偏光あるいは部分偏光の偏光成分が、前記偏光板の透過軸角度と一致していることを特徴とする請求項２または３のいずれかに記載の液晶表示装置。
【請求項５】
前記位相差フィルムは、
前記バックライトに面した第１の位相差フィルムと、前記液晶表示パネルの裏面側に面した第２の位相差フィルムとの２枚でもって構成され、
前記第１と第２の位相差フィルムによる位相差値はそれぞれ共に波長５５０ｎｍ付近で２００ｎｍ〜４００ｎｍであり、
前記照明光の完全偏光の偏光軸角度もしくは部分偏光の偏光成分の偏光軸角度を基準とし、前記第１の位相差フィルムの遅相軸角度をθｒ１、前記第２の位相差フィルムの遅相軸角度をθｒ２とし、前記偏光板の透過軸角度をθｐとし、前記偏光軸角度と、前記遅相軸角度と、および前記透過軸角度は前記液晶表示パネルの画像表示面に対しての左回転方向を正方向とされ、
θｒ１＝１／４θｐ−１５゜〜１／４θｐ＋１５゜、θｒ２＝３／４θｐ−１５゜〜３／４θｐ  ＋  １５゜であり、
あるいはθｒ１＝１／４θｐ＋１２０゜〜１／４θｐ＋１５０゜、θｒ２＝３／４θｐ＋３０゜〜３／４θｐ＋６０゜
であることを特徴とする請求項２に記載の液晶表示装置。
【請求項６】
画像を表面側に表示し裏面側に偏光板が配置された液晶表示パネルと、完全偏光或いは部分偏光であるような照明光を前記液晶表示パネルに照射するためのバックライトユニットと、を有する液晶表示装置において、
前記液晶表示パネルと前記バックライトユニットの間に位相差フィルムが配置され、
前記液晶表示パネルの偏光板軸角度によらず略一定の光利用効率が得られる液晶表示装置。
【請求項７】
前記位相差フィルムは、
１枚のみで配置され、前記位相差値が、波長５５０ｎｍ付近で１００ｎｍ〜２００ｎｍであり、前記照明光の完全偏光の偏光軸角度あるいは部分偏光の偏光成分の偏光軸角度を基準とし、前記位相差フィルムの遅相軸角度をθｒとし、前記偏光軸角度と前記遅相軸角度は前記液晶表示パネルの画像表示面に対しての左回転方向を正方向とされ、
θｒ＝３０゜〜６０゜あるいはθｒ＝１２０゜〜１５０゜
であることを特徴とする請求項６に記載の液晶表示装置。
【請求項８】
前記位相差フィルムは、
前記バックライトに面した第１の位相差フィルムと、前記液晶表示パネルの裏面側に面した第２の位相差フィルムとの２枚でもって構成され、
前記第１の位相差フィルムによる光学補償可能な位相差値は波長５５０ｎｍ付近で２００ｎｍ〜４００ｎｍであり、
前記第２の位相差フィルムによる光学補償可能な位相差値は波長５５０ｎｍ付近で１００ｎｍ〜２００ｎｍであって、
前記第１の位相差フィルムの遅相軸角度をθｒ１、前記第２の位相差フィルムの遅相軸角度をθｒ２とし、前記遅相軸角度は前記液晶表示パネルの画像表示面に対しての左回転方向を正方向とされ、
θｒ２＝２θｒ１＋３０゜〜２θｒ１＋６０゜
であることを特徴とする請求項６に記載の液晶表示装置。
【請求項９】
画像を表面側に表示し裏面側に偏光板が配置された液晶表示パネルと、完全偏光或いは部分偏光でありその偏光軸角度が面内で不均一であるような照明光を前記液晶表示パネルに照射するためのバックライトユニットと、を有する液晶表示装置において、
前記液晶表示パネルと前記バックライトユニットの間に位相差フィルムが配置され、
前記偏光板軸角度の不均一性によらず、前記液晶表示パネル面内で略一定の光利用効率が得られる液晶表示装置。
【請求項１０】
前記位相差フィルムは、
前記位相差値が波長５５０ｎｍ付近で１００ｎｍ〜２００ｎｍであって、
前記照明光の完全偏光の偏光軸角度あるいは部分偏光の偏光成分の偏光軸角度を基準とし、前記位相差フィルムの遅相軸角度をθｒとし、前記偏光板の透過軸角度をθｐとし、前記偏光軸角度と、前記遅相軸角度と、前記透過軸角度は前記液晶表示パネルの画像表示面に対しての左回転方向を正方向とされ、
｜θｐ−θｒ｜＝３０゜〜６０゜あるいは１２０゜〜１５０゜
であることを特徴とする請求項９に記載の液晶表示装置。
【発明の詳細な説明】
【技術分野】
【０００１】
本発明は、光源としてバックライトユニットを有する液晶表示装置に関する。
【背景技術】
【０００２】
近年、携帯情報端末に用いられる画像表示装置として、従来の画像表示装置に比較して軽量、薄型、低消費電力である液晶表示装置が注目されている。この液晶表示装置は原理的に発光を伴わない非発光型の画像表示装置であるため、良好な視認性を伴った画像表示をおこなうためには光源を必要としている。
【０００３】
こうした液晶表示装置のうち、透過型と呼ばれる方式の液晶表示装置は、良好な視認性を発揮するための光源としてバックライトユニットを有する。このバックライトユニットはＣＣＦＬ（Ｃｏｌｄ  Ｃａｔｈｏｄｅ  Ｆｌｕｏｒｅｓｃｅｎｔ  Ｌａｍｐ：冷陰極放電管）、ＬＥＤ（Ｌｉｇｈｔ Ｅｍｉｔｔｉｎｇ Ｄｉｏｄｅ：発光ダイオード）などの発光体と、アクリルなどの透明樹脂でできた導光板と、および光を集光または拡散するための光学フィルムとから構成されている。導光板や光学フィルムは、発光体からの点または線状の光を界面反射や屈折の効果を利用して面状に形成し、面発光の光源へと変換している。これによりバックライトユニットは液晶表示装置の光源としての役割を果たしている。（特許文献１参照）
【特許文献１】公開特許公報：「特開平１１−５２３７２号公報」
【発明の開示】
【発明が解決しようとする課題】
【０００４】
しかしながら、従来の技術による液晶表示装置おいては、面状の光源へと変換する際に界面反射や屈折を利用しているため、バックライトユニットから出射される光は自然光ではなく完全偏光、または部分偏光した光となってしまっている。
【０００５】
このため完全偏光の偏光軸角度または部分偏光の偏光成分の偏光軸角度と、液晶表示パネルの裏側偏光板の透過軸角度との角度関係によって、バックライトユニットからの光が裏側偏光板を透過する量に相違が生じている。すなわちこの光の透過量の違いに起因して、バックライトから出射される光の利用効率が大きく影響されることとなり、ひいては液晶表示装置の明るさに関する課題を生じる可能性があった。
【０００６】
このような課題に鑑み、本発明は、バックライトユニットから出射される完全偏光もしくは部分偏光の偏光軸角度と、液晶表示パネルの裏側の偏光板の透過軸角度を一致可能にし、また、完全偏光もしくは部分偏光を所望の偏光軸角度や偏光状態へと変換可能にして、光源の利用効率を向上した液晶表示装置を提供することを目的とする。
【課題を解決するための手段】
【０００７】
請求項１に記載の本発明は、画像を表面側に表示し裏面側に偏光板が配置された液晶表示パネルと、完全偏光或いは部分偏光であるような照明光を前記液晶表示パネルに照射するためのバックライトユニットと、を有する液晶表示装置において、前記照明光の完全偏光における偏光軸角度もしくは部分偏光の偏光成分の偏光軸角度と、前記偏光板の透過軸角度との差を１０°以内とする。
【０００８】
また、請求項２に記載の本発明は、画像を表面側に表示し裏面側に偏光板が配置された液晶表示パネルと、完全偏光或いは部分偏光であるような照明光を前記液晶表示パネルに照射するためのバックライトユニットと、を有する液晶表示装置において、前記液晶表示パネルと前記バックライトユニットの間に位相差フィルムを配置し、この位相差フィルムは、前記照明光の完全偏光もしくは部分偏光の偏光成分の偏光軸角度と、前記偏光板の透過軸角度との差を１０°以内とする。
【０００９】
また、請求項３に記載の本発明は、請求項２において、前記位相差フィルムは、１枚のみで配置され、前記照射光の完全偏光の偏光軸角度もしくは部分偏光の偏光成分の偏光軸角度を基準とし、前記位相差フィルムの遅相軸角度をθｒ、前記偏光板の透過軸角度をθｐとし、前記偏光軸角度と、前記遅相軸角度と、および前記透過軸角度は前記液晶表示パネルの画像表示面に対しての左回転方向を正方向とされ、０゜＜θｐ≦９０゜のときは０゜＜θｒ＜θｐ、または９０゜＜θｒ＜θｐ＋９０゜であり、９０゜＜θｐ＜１８０゜のときはθｐ−９０゜＜θｒ＜９０゜、またはθｐ＜θｒ＜１８０゜（０゜＜θｐ＜１８０゜）である。
【００１０】
また、請求項４に記載の本発明は、請求項２または３のいずれかにおいて、前記位相差フィルムは、位相差値が波長５５０ｎｍで２００ｎｍ〜４００ｎｍであり、前記照射光の完全偏光の偏光軸角度もしくは部分偏光の偏光成分の偏光軸角度を基準とし、前記位相差フィルムの遅相軸角度をθｒ、前記偏光板の透過軸角度をθｐとし、前記偏光軸角度と、前記遅相軸角度と、および前記透過軸角度は前記液晶表示パネルの画像表示面に対しての左回転方向を正方向とされ、０゜＜θｐ≦９０゜のときはθｒ＝θｐ／２−１５゜〜θｐ／２＋１５゜、またはθｐ／２＋７５゜〜θｐ／２＋１０５゜であり、９０゜＜θｐ＜１８０゜のときはθｒ＝θｐ／２−１５゜〜θｐ／２＋１５゜、またはθｐ／２−７５゜〜θｐ／２−１０５゜であり、前記照明光の完全偏光あるいは部分偏光の偏光成分が、前記偏光板の透過軸角度と一致している。
【００１１】
また、請求項５に記載の本発明は、請求項２において、前記位相差フィルムは、前記バックライトに面した第１の位相差フィルムと、前記液晶表示パネルの裏面側に面した第２の位相差フィルムとの２枚でもって構成され、前記第１と第２の位相差フィルムによる位相差値はそれぞれ共に波長５５０ｎｍ付近で２００ｎｍ〜４００ｎｍであり、前記照明光の完全偏光の偏光軸角度もしくは部分偏光の偏光成分の偏光軸角度を基準とし、前記第１の位相差フィルムの遅相軸角度をθｒ１、前記第２の位相差フィルムの遅相軸角度をθｒ２とし、前記偏光板の透過軸角度をθｐとし、前記偏光軸角度と、前記遅相軸角度と、および前記透過軸角度は前記液晶表示パネルの画像表示面に対しての左回転方向を正方向とされ、θｒ１＝１／４θｐ−１５゜〜１／４θｐ＋１５゜、θｒ２＝３／４θｐ−１５゜〜３／４θｐ  ＋  １５゜であり、あるいはθｒ１＝１／４θｐ＋１２０゜〜１／４θｐ＋１５０゜、θｒ２＝３／４θｐ＋３０゜〜３／４θｐ＋６０゜である。
【００１２】
また、請求項６に記載の本発明は、画像を表面側に表示し裏面側に偏光板が配置された液晶表示パネルと、完全偏光或いは部分偏光であるような照明光を前記液晶表示パネルに照射するためのバックライトユニットと、を有する液晶表示装置において、前記液晶表示パネルと前記バックライトユニットの間に位相差フィルムが配置され、前記液晶表示パネルの偏光板軸角度によらず略一定の光利用効率が得られる。
【００１３】
また、請求項７に記載の本発明は、請求項６において、前記位相差フィルムは、１枚のみで配置され、前記位相差値が、波長５５０ｎｍ付近で１００ｎｍ〜２００ｎｍであり、前記照明光の完全偏光の偏光軸角度あるいは部分偏光の偏光成分の偏光軸角度を基準とし、前記位相差フィルムの遅相軸角度をθｒとし、前記偏光軸角度と前記遅相軸角度は前記液晶表示パネルの画像表示面に対しての左回転方向を正方向とされ、θｒ＝３０゜〜６０゜あるいはθｒ＝１２０゜〜１５０゜である。
【００１４】
また、請求項８に記載の本発明は、請求項６において、前記位相差フィルムは、前記バックライトに面した第１の位相差フィルムと、前記液晶表示パネルの裏面側に面した第２の位相差フィルムとの２枚でもって構成され、前記第１の位相差フィルムによる光学補償可能な位相差値は波長５５０ｎｍ付近で２００ｎｍ〜４００ｎｍであり、前記第２の位相差フィルムによる光学補償可能な位相差値は波長５５０ｎｍ付近で１００ｎｍ〜２００ｎｍであって、前記第１の位相差フィルムの遅相軸角度をθｒ１、前記第２の位相差フィルムの遅相軸角度をθｒ２とし、前記遅相軸角度は前記液晶表示パネルの画像表示面に対しての左回転方向を正方向とされ、θｒ２＝２θｒ１＋３０゜〜２θｒ１＋６０゜である。
【００１５】
また、請求項９に記載の本発明は、画像を表面側に表示し裏面側に偏光板が配置された液晶表示パネルと、完全偏光或いは部分偏光でありその偏光軸角度が面内で不均一であるような照明光を前記液晶表示パネルに照射するためのバックライトユニットと、を有する液晶表示装置において、前記液晶表示パネルと前記バックライトユニットの間に前記照明光の位相ずれによる位相差値を光学補償するための位相差フィルムが配置され、前記偏光板軸角度の不均一性によらず、前記液晶表示パネル面内で略一定の光利用効率が得られる。
【００１６】
また、請求項１０に記載の本発明は、請求項９において、前記位相差フィルムは、前記位相差値が波長５５０ｎｍ付近で１００ｎｍ〜２００ｎｍであって、前記照明光の完全偏光の偏光軸角度あるいは部分偏光の偏光成分の偏光軸角度を基準とし、前記位相差フィルムの遅相軸角度をθｒとし、前記偏光板の透過軸角度をθｐとし、前記偏光軸角度と、前記遅相軸角度と、前記透過軸角度は前記液晶表示パネルの画像表示面に対しての左回転方向を正方向とされ、｜θｐ−θｒ｜＝３０゜〜６０゜あるいは１２０゜〜１５０゜である。
【００１７】
このような請求項１〜１０に記載の本発明にあっては、液晶表示装置は、少なくとも光源側に偏光板を有する液晶表示パネルとバックライトユニットを有し、前記バックライトユニットが前記液晶表示パネルの裏側に配置されているような液晶表示装置で、前記バックライトユニットから出射される完全偏光、または部分偏光の偏光軸角度と、前記液晶表示パネルの裏側の偏光板の透過軸角度が略一致するように前記液晶表示パネルと前記バックライトユニットを配置するものである。
【００１８】
また、前記液晶表示パネルと前記バックライトユニットの間に位相差フィルムを設置することで、前記バックライトユニットから出射される完全偏光、または部分偏光の偏光成分の偏光軸角度、または偏光状態を変換することで、所望の光の利用効率を得るものである。
【発明の効果】
【００１９】
本発明によれば、バックライトユニットから出射される完全偏光もしくは部分偏光の偏光軸角度と、液晶表示パネルの裏側の偏光板の透過軸角度を一致可能にし、また、完全偏光もしくは部分偏光を所望の偏光軸角度や偏光状態へと変換可能にして、光源の利用効率を向上した液晶表示装置を提供することができる。
【発明を実施するための最良の形態】
【００２０】
以下、本発明の液晶表示装置の実施形態について図参照して説明する。図１および図３は、本発明の液晶表示装置であって、液晶表示パネル１と、バックライトユニット２とを備えている。液晶表示パネル１は、図１および図３に示すように、第１基板としてのアレイ基板１０と、このアレイ基板１０に対向配置された第２基板としての対向基板１１と、アレイ基板１０と対向基板１１との間に配置された液晶層１２と、液晶表示パネル１にてカラー表示を行うためのカラーフィルタ１３と、アレイ基板１０の液晶層１２側と反対側に配置されている表側偏光板１４と、対向基板１１の液晶層１２側と反対側に配置されている裏側偏光板１５とを備えている。
【００２１】
また、図３においては、バックライトユニット２と液晶表示パネル１との間に位相差フィルム３が配置されている。この位相差フィルム３は１枚か、あるいはそれ以上の枚数で配置されてもよい。
【００２２】
図２に示したバックライトユニット２は、液晶表示パネル１におけるアレイ基板１０の背面に配置されている。このバックライトユニット２は、ＣＣＦＬ（Ｃｏｌｄ  Ｃａｔｈｏｄｅ  Ｆｌｕｏｒｅｓｃｅｎｔ  Ｌａｍｐ：冷陰極放電管）やＬＥＤ（Ｌｉｇｈｔ Ｅｍｉｔｔｉｎｇ Ｄｉｏｄｅ：発光ダイオード）などにより構成される照明光５を照射するための発光源２０と、照明光５を所定に導く導光板２１と、照明光５を反射するための反射板２２を有して構成されている。
【００２３】
発光源２０は、導光板２１の側面に配置されており、発光源２０から出射された照明光５は導光板２１の側面より入射される。導光板２１内に入射した照明光５は導光板２１の上面と下面の間で反射を繰り返しながらその内部を伝播する。
【００２４】
照明光５は、導光板２１内を伝播する間に、導光板２１の上面から上方に出射する。これにより発光源２０から出射された点状あるいは線状の照明光５を面状へと変換する。反射板２２は、導光板２０の下面から外部に出ようとする照明光５を反射させて内部に戻し、照明光５の利用効率を上げる作用をなしている。発光源２０から出射された照明光５は、面状の光源へと変換される過程で、反射と屈折を繰り返すため、液晶表示パネル１に入射するまでに完全偏光あるいは部分偏光の状態になっている。
【００２５】
＜第１の実施形態＞
バックライトユニット２から出射される完全偏光の偏光軸角度か、または部分偏光の偏光成分の偏光軸が、裏側偏光板１５の透過軸と略一致するように配置する。これによりバックライトユニット２から自然光が出射された場合に比べ、裏側偏光板１５を透過する照明光５の量を多くすることができる。すなわち、液晶表示パネルから出射する照明光５の量も多くなり、照明光５の利用効率を向上させることができる。
【００２６】
＜第２の実施形態＞
液晶表示装置の視野角特性や、バックライトユニット２の構造上の制約などから、必ずしも第１の実施形態で示したように軸関係を略一致させられない場合がある。このような場合において、図３に示すように、液晶表示パネル１とバックライトユニット２の間に位相差フィルム３を少なくとも１枚で配置する。これにより、バックライトユニット２から出射される完全偏光、または部分偏光の偏光軸の方向を変換することができ、裏側偏光板１５の透過軸と偏光軸を一致させ、あるいは近づけることができる。これにより照明光５の利用効率を向上させることができる。
【００２７】
＜第３の実施形態＞
第２の実施形態において、１枚の位相差フィルムを下記条件に基づいて配置することにより、裏側偏光板１５の透過軸と偏光軸を一致させる、または近づけることができ、照明光５の利用効率を向上させることができる。このとき、位相差フィルムのリタデーション値は０〜８００ｎｍである。また、下記条件を満たさない場合においては、完全偏光、または部分偏光の光軸方向が裏側偏光板１５の透過軸から遠くなり、照明光５の利用効率が低下する。
【００２８】
（条件）
ｉ）０゜＜θｐ≦９０゜のとき
０゜＜θｒ＜θｐ  、９０゜＜θｒ＜θｐ＋９０゜
ii）９０゜＜θｐ＜１８０゜のとき
θｐ−９０゜＜θｒ＜９０゜、θｐ＜θｒ＜１８０゜
（０゜＜θｐ＜１８０゜）
バックライトユニット２から出射される完全偏光の、または部分偏光の偏光成分の偏光軸角度を０゜（基準にする）とし、θｒ、：位相差フィルム３の遅相軸角度、θｐ：裏側偏光板１５の透過軸角度とする。
【００２９】
＜第４の実施形態＞
第２および第３の実施形態において、位相差フィルム３の位相差値が、波長５５０ｎｍ付近で２７０ｎｍで、軸角度においては、バックライトユニット２から出射される完全偏光の、または部分偏光の偏光成分の偏光軸角度を０゜（基準にする）とし、裏側偏光板１５の透過軸角度をθｐとした場合において、θｐ／２となるように配置する。
【００３０】
このときバックライトユニット２から出射される完全偏光の、または部分偏光の偏光成分の偏光軸角度を、裏側偏光板１５の透過軸と偏光軸を略一致させることができる。これにより照明光５の利用効率を向上させることができる。
【００３１】
＜第５の実施形態＞
第４の実施形態において、位相差フィルムの位相差に波長分散がある場合、特定の波長以外は所望の偏光方向や偏光状態からややずれてしまう。このため裏側偏光板１５を透過する照明光５の量が波長によって異なるため、液晶表示装置が色づいてしまう。
【００３２】
そこで、液晶表示装置の色づきを改善するために、液晶表示パネル１とバックライトユニット２の間に波長分散を補償するための位相差フィルムを２枚配置する。このとき、２枚の位相差フィルムの位相差値は、波長５５０ｎｍ付近で２７０ｎｍであり、軸角度においては、バックライトユニット２から出射される完全偏光の、または部分偏光の偏光軸角度を０゜（基準にする）とし、裏側偏光板１５の透過軸角度をθｐとした場合、バックライトユニット２側の位相差フィルムの軸角度はθｐ／４、液晶表示パネル１側の位相差フィルムの軸角度は３／４θｐとし、あるいはバックライトユニット側の位相差フィルムの軸角度はθｐ／４＋９０゜、液晶表示パネル１側の位相差フィルムの軸角度は３／４θｐ＋９０゜となるように配置する。
【００３３】
＜第６の実施形態＞
液晶表示パネル１とバックライトユニット２の間に、位相差値が、波長５５０ｎｍ付近で１４０ｎｍで、軸角度がバックライトユニット２から出射される完全偏光の、または部分偏光の偏光成分の偏光軸を０゜（基準とする）とした場合、４５゜または１３５゜となるように位相差フィルム３を配置する。
【００３４】
こうした配置にすることにより、バックライトユニット２から出射された完全偏光、または部分偏光の偏光成分をほぼ円偏光へと変換することができる。これにより、裏側偏光板の透過軸角度によらず、自然光の場合とほぼ同じ照明光５の利用効率が得られる。
【００３５】
＜第７の実施形態＞
第６の実施形態において、位相差フィルムの位相差に波長分散がある場合、特定の波長以外は円偏光から偏光状態からややずれてしまう。このため裏側偏光板１５を透過する照明光５の量が波長によって異なるため、液晶表示装置が色づいてしまう。
【００３６】
そこで、液晶表示装置の色づきを改善するために、液晶表示パネル１とバックライトユニット２の間にさらに、波長分散を補償する位相差フィルムを２枚配置することによって液晶表示装置の色づきを改善することができる。
【００３７】
バックライトユニット２側の１枚目の位相差フィルムの位相差値は、波長５５０ｎｍ付近で２７０ｎｍとし、液晶表示パネル１側の２枚目の位相差フィルムの位相差値は、波長５５０ｎｍ付近で１４０ｎｍとしている。
【００３８】
また、軸角度においては、バックライトユニット２から出射される完全偏光の、または部分偏光の偏光成分の偏光軸角度を０゜（基準とする）とした場合、バックライトユニット２側の位相差フィルムの軸角度は３０゜、液晶表示パネル１側の位相差フィルムの軸角度は１０５゜とする。
【００３９】
＜第８の実施形態＞
液晶表示パネル１とバックライトユニット２の間に、位相差値が、波長５５０ｎｍ付近で１４０ｎｍで、軸角度においては、裏側偏光板１５の透過軸角度をθｐ、位相差フィルム３の軸角度をθｒとした場合、｜θｐ−θｒ｜が４５゜または１３５゜となるように位相差フィルム３を配置する。
【００４０】
これにより、バックライトユニット２から出射される完全偏光の、または部分偏光の偏光成分の偏光軸角度がバックライトユニット２面内で不均一である場合においても、面内の不均一性によらず液晶表示パネル面内で略一定の照明光５の利用効率が得られる。
【図面の簡単な説明】
【００４１】
【図１】本発明の第１の実施の形態に係る、液晶表示装置を説明するための断面図を示す。
【図２】本発明の第１〜４の実施の形態に係る、バックライトユニットを説明するための概略の断面図を示す。
【図３】本発明の第２〜４の実施の形態に係る、液晶表示装置を説明するための概略の断面図を示す。
【符号の説明】
【００４２】
１  液晶表示パネル
２  バックライトユニット（光源）
３  位相差フィルム
５  照明光
１０  アレイ基板
１１  対向基板
１２  液晶層
１３  カラーフィルタ
１４  表側偏光板
１５  裏側偏光板
２０  発光源
２１  導光板
２２  反射板
【図１】
2005242177.tif 000003
【図２】
2005242177.tif 000004
【図３】
2005242177.tif 000005